(57)【要約】【課題】設定変更ゴト行為を防止すること。【解決手段】スロットマシンの前面に、それぞれ左右両開きが可能な上扉及び下扉を設ける。この上扉の奥に、設定値を変更するときに操作される設定変更装置を配置する。下扉が開くと下扉用記憶部にその開き方向と開き角度の情報が記憶され、上扉が開くと上扉用記憶部にその開き方向と開き角度の情報が記憶される。設定変更装置に設定キーが差し込まれて操作されると、上扉用記憶部及び下扉用記憶部に記憶された情報と予め設定された情報とが比較され、一致した場合に設定変更装置の変更ボタンの操作が有効化される。【選択図】図８
2008237828.tif 000002
【特許請求の範囲】
【請求項１】
当りの当選確率を複数の中から選択するときに操作される設定変更装置を収納する筐体を備え、前記筐体の前面に、左右の端部に設けた一対の軸で軸支されて左右両側から開閉可能な前面扉が設けられた遊技機であって、
前記前面扉の開き方向を検出する開き方向検出手段と、
検出された開き方向を記憶する開き方向記憶手段と、
記憶された開き方向が、予め設定された設定開き方向と一致するか否かを判定する開き方向判定手段と、
開き方向の判定で一致した場合に、前記設定変更装置の操作を有効化する制御手段とを備えたことを特徴とする遊技機。
【請求項２】
前記前面扉は上下に分割されてそれぞれ左右両側から開閉可能な上扉及び下扉を有し、前記設定変更装置は前記上扉及び下扉のうち一方の扉の奥に配されており、
前記開き方向検出手段は、前記上扉の開き方向を検出する上扉開き方向検出センサと、前記下扉の開き方向を検出する下扉開き方向検出センサとを有し、
前記開き方向記憶手段は、検出された前記上扉の開き方向を記憶し前記上扉が開く度に記憶が更新される上扉開き方向メモリと、検出された前記下扉の開き方向を記憶し前記下扉が開く度に記憶が更新される下扉開き方向メモリとを有し、
前記開き方向判定手段は、記憶された前記上扉の開き方向が予め設定された上扉の設定開き方向と一致するか否かを判定する上扉開き方向判定手段と、記憶された前記下扉の開き方向が予め設定された下扉の設定開き方向と一致するか否かを判定する下扉開き方向判定手段とを有し、
前記制御手段は、前記上扉及び下扉の開き方向の判定のいずれもが一致した場合に、前記設定変更装置の操作を有効化することを特徴とする請求項１記載の遊技機。
【請求項３】
前記上扉の左開き角度を検出する上扉左角度検出センサ、前記上扉が左開きでどの角度まで開いたかを記憶し前記上扉が左開きする度に記憶が更新される上扉左開き角度メモリ、及び、記憶された前記上扉の左開き角度が、予め全開角度または中途角度のいずれかに設定された設定角度と一致するか否かを判定する上扉左開き角度判定手段と、
前記上扉の右開き角度を検出する上扉右角度検出センサ、前記上扉が右開きでどの角度まで開いたかを記憶し前記上扉が右開きする度に記憶が更新される上扉右開き角度メモリ、及び、記憶された前記上扉の右開き角度が、予め全開角度または中途角度のいずれかに設定された設定角度と一致するか否かを判定する上扉右開き角度判定手段と、
前記下扉の左開き角度を検出する下扉左角度検出センサ、前記下扉が左開きでどの角度まで開いたかを記憶し前記下扉が左開きする度に記憶が更新される下扉左開き角度メモリ、及び、記憶された前記下扉の左開き角度が、予め全開角度または中途角度のいずれかに設定された設定角度と一致するか否かを判定する下扉左開き角度判定手段と、
前記下扉の右開き角度を検出する下扉右角度検出センサ、前記下扉が右開きでどの角度まで開いたかを記憶し前記下扉が右開きする度に記憶が更新される下扉右開き角度メモリ、及び、記憶された前記下扉の右開き角度が、予め全開角度または中途角度のいずれかに設定された設定角度と一致するか否かを判定する下扉右開き角度判定手段とを備え、
前記制御手段は、前記上扉及び下扉の開き方向の判定のいずれもが一致することに加え、前記上扉及び下扉の開き角度の判定のいずれもが一致した場合に、前記設定変更装置の操作を有効化することを特徴とする請求項２記載の遊技機。
【発明の詳細な説明】
【技術分野】
【０００１】
本発明は、当りの当選確率を複数の中から選択するときに操作される設定変更装置を備えた遊技機に関する。
【背景技術】
【０００２】
パチンコ店などの遊技場に設置して使用されるスロットマシンはパチスロ機と称され、メダルに一定の価値が与えられて、遊技を行って獲得したメダルを種々の景品に交換することができる。このようなスロットマシンでは、ハズレ及び複数種類の当選役の抽選確率が異なる複数の抽選テーブルの中から１つを選択して遊技に使用しており、選択される抽選テーブルに応じてメダルの払い出し確率が異なるよう構成されている。抽選テーブルには設定値が割り振られており、これらの設定値のうちいずれか１つを選択する。
【０００３】
設定値の選択は、スロットマシンの筐体内部に配された設定変更装置を操作して行うことができる。設定値を選択するためには、まず、スロットマシンの前面扉を開錠してから前面扉を開き、次に、設定変更装置に設けられたキーシリンダに設定キーを差し込んで回転させ、この上で設定変更装置の変更ボタンを操作して設定値を選択する。設定キーは、遊技場の管理者など特定の人物だけが所有しており、遊技場の従業員でさえも設定変更を行うことはできない。しかし、前面扉開錠用キー及び設定キーが不正に入手された場合には、不正に設定変更（いわゆる設定変更ゴト）が行われるという問題があった。
【０００４】
特許文献１記載のスロットマシンでは、前面扉を最大開き角度に保ったままタッチセンサに触れるという動作を行うことにより、設定変更装置の変更ボタンの操作が有効化する。これにより、前面扉開錠用キー及び設定キーを持っていても上記動作を知らない場合には、設定変更ができない。
【特許文献１】特開２００６−３４７１４号公報
【発明の開示】
【発明が解決しようとする課題】
【０００５】
設定変更ゴトは短時間で大きな不正利得が得られることから、設定変更ゴトを行う者は日々設定変更技術を研究しており、特許文献１記載の技術はやがて知られてしまうことが考えられるため、遊技機メーカー側では、特許文献１記載の技術に替わる設定変更ゴト防止技術を準備しておく必要がある。
【０００６】
本発明は、上記事情を考慮してなされたものであり、設定変更ゴト行為を防止することができる遊技機を提供することを目的とする。
【課題を解決するための手段】
【０００７】
本発明は、当りの当選確率を複数の中から選択するときに操作される設定変更装置を収納する筐体を備え、前記筐体の前面に、左右の端部に設けた一対の軸で軸支されて左右両側から開閉可能な前面扉が設けられた遊技機に関し、前記前面扉の開き方向を検出する開き方向検出手段と、検出された開き方向を記憶する開き方向記憶手段と、記憶された開き方向が、予め設定された設定開き方向と一致するか否かを判定する開き方向判定手段と、開き方向の判定で一致した場合に、前記設定変更装置の操作を有効化する制御手段とを備えたことを特徴とする。
【０００８】
前記前面扉は上下に分割されてそれぞれ左右両側から開閉可能な上扉及び下扉を有し、前記設定変更装置は前記上扉及び下扉のうち一方の扉の奥に配されており、前記開き方向検出手段は、前記上扉の開き方向を検出する上扉開き方向検出センサと、前記下扉の開き方向を検出する下扉開き方向検出センサとを有し、前記開き方向記憶手段は、検出された前記上扉の開き方向を記憶し前記上扉が開く度に記憶が更新される上扉開き方向メモリと、検出された前記下扉の開き方向を記憶し前記下扉が開く度に記憶が更新される下扉開き方向メモリとを有し、前記開き方向判定手段は、記憶された前記上扉の開き方向が予め設定された上扉の設定開き方向と一致するか否かを判定する上扉開き方向判定手段と、記憶された前記下扉の開き方向が予め設定された下扉の設定開き方向と一致するか否かを判定する下扉開き方向判定手段とを有し、前記制御手段は、前記上扉及び下扉の開き方向の判定のいずれもが一致した場合に、前記設定変更装置の操作を有効化することを特徴とする。
【０００９】
前記上扉の左開き角度を検出する上扉左角度検出センサ、前記上扉が左開きでどの角度まで開いたかを記憶し前記上扉が左開きする度に記憶が更新される上扉左開き角度メモリ、及び、記憶された前記上扉の左開き角度が、予め全開角度または中途角度のいずれかに設定された設定角度と一致するか否かを判定する上扉左開き角度判定手段と、前記上扉の右開き角度を検出する上扉右角度検出センサ、前記上扉が右開きでどの角度まで開いたかを記憶し前記上扉が右開きする度に記憶が更新される上扉右開き角度メモリ、及び、記憶された前記上扉の右開き角度が、予め全開角度または中途角度のいずれかに設定された設定角度と一致するか否かを判定する上扉右開き角度判定手段と、前記下扉の左開き角度を検出する下扉左角度検出センサ、前記下扉が左開きでどの角度まで開いたかを記憶し前記下扉が左開きする度に記憶が更新される下扉左開き角度メモリ、及び、記憶された前記下扉の左開き角度が、予め全開角度または中途角度のいずれかに設定された設定角度と一致するか否かを判定する下扉左開き角度判定手段と、前記下扉の右開き角度を検出する下扉右角度検出センサ、前記下扉が右開きでどの角度まで開いたかを記憶し前記下扉が右開きする度に記憶が更新される下扉右開き角度メモリ、及び、記憶された前記下扉の右開き角度が、予め全開角度または中途角度のいずれかに設定された設定角度と一致するか否かを判定する下扉右開き角度判定手段とを備え、前記制御手段は、前記上扉及び下扉の開き方向の判定のいずれもが一致することに加え、前記上扉及び下扉の開き角度の判定のいずれもが一致した場合に、前記設定変更装置の操作を有効化することが好ましい。
【発明の効果】
【００１０】
本発明の遊技機によれば、設定変更装置の操作を有効化するために、記憶された開き方向と設定開き方向とを一致させる必要があることから、設定開き方向を知らない者にとっては設定変更を行うことが難しくなり、設定変更ゴト行為を防止することができる。
【００１１】
また、設定変更装置の操作を有効化するために、記憶された上扉の開き方向と上扉の設定開き方向とが一致し、かつ、記憶された下扉の開き方向と下扉の設定開き方向とが一致することを条件にした場合には、設定条件（各扉の設定開き方向）を知らない者にとっては設定変更を行うことがさらに難しくなる。
【００１２】
また、設定変更装置の操作を有効化するために、記憶された上扉の開き方向と上扉の設定開き方向とが一致し、記憶された下扉の開き方向と下扉の設定開き方向とが一致し、記憶された上扉の開き角度と上扉の設定角度とが一致し、かつ、記憶された下扉の開き角度と上扉の設定角度とが一致することを条件にした場合には、設定条件（各扉の設定開き方向及び設定角度）を知らない者にとっては設定変更を行うことが非常に難しくなる。
【発明を実施するための最良の形態】
【００１３】
図１に示すように、スロットマシン１０は、前面扉１１と収納箱１２とからなる筐体１３を備えている。前面扉１１は、上下に分割されており、上扉１４と下扉１５とからなる。上扉１４及び下扉１５は、左右両側からそれぞれ開くことができる。以下では、左側から開くことを左開き、右側から開くことを右開きと称する。
【００１４】
上扉１４には、透明板である表示窓１６が設けられている。表示窓１６からは、リールユニット１７の一部を構成する第１〜第３リール１８，１９，２０の一部を視認することができる。周知のように、各リール１８，１９，２０の外周には、複数種類の当選絵柄を含む絵柄が一定ピッチで配列され、１リールにつき３個の絵柄が、表示窓１６を通して観察することができる。また、上扉１４には、上扉１４を左開きするときに扉用キーが差し込まれて回転操作される第１キーシリンダ２１Ａと、上扉１４を左開きするときに扉用キーが差し込まれて回転操作される第２キーシリンダ２１Ｂとが設けられている。
【００１５】
下扉１５には、メダルを投入するためのメダル投入口２２、スタートレバー２３、第１〜第３リール１８，１９，２０の回転をそれぞれ停止させるための第１〜第３ストップボタン２４，２５，２６、メダル受け皿２７、獲得したメダルを前記メダル受け皿２７に払い出す払い出し口２８、スピーカ２９などが設けられている。また、下扉１５には、下扉１５を左開きするときに扉用キーが差し込まれて回転操作される第３キーシリンダ２１Ｃと、下扉１５を右開きするときに扉用キーが差し込まれて回転操作される第４キーシリンダ２１Ｄとが設けられている。各キーシリンダ２１Ａ〜２１Ｄに差し込んだ扉用キーは開錠位置と施錠位置との間で回転させることができる。
【００１６】
メダル投入口２２に所定枚数のメダルを投入してスタートレバー２３を操作すると、第１〜第３リール１８，１９，２０が一斉に回転する。その後、第１〜第３ストップボタン２４，２５，２６を順番に操作することで第１〜第３リール１８，１９，２０の回転が停止する。このとき、リール毎に表示された絵柄を一個ずつ組み合わせてなる、例えば横３本斜め２本の合計５本の入賞有効ラインのうちのいずれかに、予め決められた絵柄が揃うことで、払い出し口２８からメダルが払い出される。
【００１７】
図２に示すように、収納箱１２は、その収納空間が仕切板３０によって上下に仕切られており、上側の収納空間は上扉１４を開放することで内部が露呈され、下側の収納空間は下扉１５を開くことで内部が露呈される。図示は省略しているが、上側の収納空間にはリールユニット１７などが収納され、また、下側の収納空間には払い出し口２８にメダルを払い出すホッパー装置３１（図７参照）などが収納されている。
【００１８】
収納箱１２の上側の収納空間には、設定変更装置３２が配置されている。設定変更装置３２の前面には設定キーが差し込まれるキーシリンダ３３と、変更ボタン３４とが設けられている。設定変更の操作は、設定キーをキーシリンダ３３に差し込んで、この設定キーをＯＦＦ位置からＯＮ位置に回転させることにより、遊技を行う遊技モードから、設定変更を行う設定変更モードに移行させることができる。設定変更モードでは、表示窓１６の下方に設けられた表示部３５（図１参照）に現時点での設定値が表示される。
【００１９】
変更ボタン３４は、設定値を変えるときに押圧操作される。詳細は後述するが、設定値には１〜６が用意されており、変更ボタン３４を押圧操作する毎に、・・・→１→２→３→４→５→６→１→・・・というように数値が変更される。なお、設定値を変更した後には、スタートレバー２３を操作して設定値を確定し、その後に、設定キーをＯＦＦ位置に回転して抜くことにより、新たに設定した設定値が有効になる。
【００２０】
上扉１４の裏面の左上部（前から見て）には裏面に対して垂直に延びる垂直板３８Ａが設けられ、この垂直板３８Ａには下方に延びる第１軸３９Ａが設けられている。この垂直板３８Ａ及び第１軸３９Ａと同様にして、上扉１４の裏面の右上部には垂直板３８Ｂ及び第２軸３９Ｂが、下扉１５の裏面の左上部には垂直板３８Ｃ及び第３軸３９Ｃが、下扉１５の裏面の右上部には垂直板３８Ｄ及び第４軸３９Ｄが設けられている。
【００２１】
収納箱１２の上側の収納空間の左端部には第１軸３９Ａを回転可能に保持する第１軸支機構４０Ａが、上側の収納空間の右端部には第２軸３９Ｂを回転可能に保持する第２軸支機構４０Ｂが、下側の収納空間の左端部には第３軸３９Ｃを回転可能に保持する第３軸支機構４０Ｃが、下側の収納空間の右端部には第４軸３９Ｄを回転可能に保持する第４軸支機構４０Ｄが設けられている。第１及び第３軸支機構４０Ａ，４０Ｃはそれぞれ左板３６に設けた図示しない支持部に取り付けられており、第２及び第４軸支機構４０Ｂ，４０Ｄはそれぞれ右板３７に設けた図示しない支持部に取り付けられている。
【００２２】
図３及び図４に示すように、各軸支機構４０Ａ〜４０Ｄは、互いに同じ構成であり、それぞれ、軸４１を中心にして先端（前端）を開閉させるグリッパ４２と、グリッパ４２を閉じ状態に付勢する引張バネ４３と、グリッパ４２を開閉させる駆動片４４とから構成される。
【００２３】
駆動片４４は前から見て略逆三角形の形状をした厚板であり、その左右の側面４４ａ，４４ｂをグリッパ４２に接触させている。駆動片４４は上下（紙面手前から奥）にスライド移動するように図示しないガイド部によりガイドされる。駆動片４４が下にスライド移動したときには、その左右の側面４４ａ，４４ｂがグリッパ４２を内側から押し、引張バネ４３の付勢力に抗してグリッパ４２は開き状態になり、一方、駆動片４４が上にスライド移動したときには、グリッパ４２は閉じ状態になる。
【００２４】
第１軸支機構４０Ａの駆動片４４は図示しない連動機構を介して第１キーシリンダ２１Ａに接続されており、第１キーシリンダ２１Ａに差し込んだ扉用キーの回転操作に連動して上下にスライド移動する。扉用キーを開錠位置に回転操作したときに駆動片４４は下にスライド移動し、扉用キーを施錠位置に回転操作したときに駆動片４４は上にスライド移動する。すなわち、扉用キーを開錠位置に回転操作したときに第１軸支機構４０Ａのグリッパ４２が第１軸３９Ａの保持を解除し、扉用キーを施錠位置に回転操作したときにグリッパ４２が第１軸３０Ａを保持する。
【００２５】
第１軸支機構４０Ａの駆動片４４が第１キーシリンダ２１Ａの回転操作に連動するのと同様にして、第２軸支機構４０Ｂの駆動片４４は第２キーシリンダ２１Ｂの回転操作に連動し、第３軸支機構４０Ｃの駆動片４４は第３キーシリンダ２１Ｃの回転操作に連動し、第４軸支機構４０Ｄの駆動片４４は第４キーシリンダ２１Ｄの回転操作に連動する。
【００２６】
収納箱１２の右板３７の内面上部には、保持された第２軸３９Ｂを中心にして湾曲する湾曲面３７ａが形成されており、この湾曲面３７ａに、上扉１４の左開き角度を検出する第１角度センサ６０Ａが設けられている。第１角度センサ６０Ａは、前後に並べられた前側検出素子６１Ａ−１及び後側検出素子６１Ａ−２から構成されている。各検出素子６１Ａ−１，６１Ａ−２には、例えば出射した光が上扉１４に反射して戻ったときにオンになり戻らないときにオフになる光反射型検出素子が用いられる。上扉１４を左開きしたときには、上扉１４の右端部が湾曲面３７ａに沿って移動する。
【００２７】
図５に示すように、上扉１４が左開き方向で僅かに開いたときに前側検出素子６１Ａ−１がオン信号を出力し、図６に示すように、上扉１４が左開き方向で全開したときに後側検出素子６１Ａ−２がオン信号を出力する。第１角度センサ６０Ａの出力信号を［前側検出素子６１Ａ−１の出力信号：後側検出素子６１Ａ−２の出力信号］という形式で表現する場合、上扉１４が閉じ角度のとき［オフ：オフ］が出力（以下、この出力信号を閉じ信号と称する）され、上扉１４が中途角度のとき［オン：オフ］が出力（以下、この出力信号を中途開き信号と称する）され、上扉１４が全開角度のとき［オン：オン］が出力（以下、この出力信号を全開信号と称する）される。ここで、中途角度とは閉じ角度と最大の開き角度との間の角度を意味し、全開角度とは最大の開き角度を意味している。本実施形態では、閉じ角度は０°以上５°未満の角度に、中途角度は５°以上８５°未満の角度に、全開角度は８５°以上９０°以下の角度に設定しているが、これらの角度設定は任意でよい。
【００２８】
右板３７の内面上部に設けた湾曲面３７ａ及び第１角度センサ６０Ａと同様にして、左板３６の内面上部には湾曲部３６ａ及び第２角度センサ６０Ｂが設けられ（図３参照）、右板３７の内面下部には湾曲部３７ｂ及び第３角度センサ６０Ｃが設けられ（図４参照）、左板３６の内面下部には湾曲部３６ｂ及び第４角度センサ６０Ｄが設けられている（図４参照）。第２角度センサ６０Ｂは、前側検出素子６１Ｂ−１及び後側検出素子６１Ｂ−２から構成され、上扉１４の右開き角度を検出する。第３角度センサ６０Ｃは、前側検出素子６１Ｃ−１及び後側検出素子６１Ｃ−２から構成され、下扉１５の左開き角度を検出する。第４角度センサ６０Ｄは、前側検出素子６１Ｄ−１及び後側検出素子６１Ｄ−２から構成され、下扉１５の右開き角度を検出する。
【００２９】
第１角度センサ６０Ａが上扉左角度検出センサとして機能し、第２角度センサ６０Ｂが上扉右角度検出センサとして機能し、第３角度センサ６０Ｃが下扉左角度検出センサとして機能し、第４角度センサ６０Ｄが下扉右角度検出センサとして機能する。さらに、第１及び第２角度センサ６０Ａ，６０Ｂが上扉開き方向検出センサとして機能し、第３及び第４角度センサ６０Ｃ，６０Ｄが下扉開き方向検出センサとして機能する。
【００３０】
図７に示すように、スロットマシン１０は、主制御基板７０を有し、この主制御基板７０によって各部が統括的に制御されている。主制御基板７０は、ＣＰＵ７１、メモリ７２、電子抽選部７３、当選役決定部７４を有する。メモリ７２のＲＯＭ領域には遊技プログラムなどが記憶されており、これらのプログラムがＣＰＵ７１に読み出されて実行される。
【００３１】
メダルセンサ７５は、メダル投入口２２から投入されたメダルを検出し、メダルの検出信号をＣＰＵ７１に入力する。ＣＰＵ７１では、メダルの検出信号に基づいてメダルの枚数を計数し、入賞有効ラインを有効化する本数を決定する。スタートスイッチセンサ７６は、スタートレバー２３が押下操作されることによってオンになり、そのオン信号を出力する。ＣＰＵ７１では、このオン信号を受けて、メモリ７２のＲＯＭ領域に記憶された遊技プログラムを読み出して遊技処理を開始する。
【００３２】
電子抽選部７３は、乱数発生器を備え、スタートレバー２３の押圧操作に応答して、乱数発生器で発生した乱数から１つの乱数を抽出する。抽選された乱数はメモリ７２のＲＡＭ領域に記憶されて当選役決定部７４で使用される。
【００３３】
当選役決定部７４は、第１〜第６抽選テーブルを有する。第１〜第６抽選テーブルは、当選役（当り）の当選確率が互いに異なるように各当選役に対する乱数の振り分けが異なっている。第１抽選テーブルが最もペイアウト率が低く、第２、第３、第４、第５、第６抽選テーブルの順にペイアウト率が高くなる。上述したように設定値には１〜６が用意されており、設定値１が第１抽選テーブルに、設定値２が第２抽選テーブルに、設定値３が第３抽選テーブルに、設定値４が第４抽選テーブルに、設定値５が第５抽選テーブルに、設定値６が第６抽選テーブルに対応している。
【００３４】
当選役決定部７４では、メモリ７２のＲＡＭ領域に記憶された１の乱数値と、設定変更装置３２で設定された設定値に応じて選択した抽選テーブルを用いて当選役抽選を行う。
【００３５】
３個のストップボタン２４，２５，２６は、リールユニット１７の第１〜第３リール１８，１９，２０の回転を停止させるためのボタンであり、操作されることでそれぞれＣＰＵ７１に停止信号を送る。ＣＰＵ７１は、停止信号を受けることに応答して、当選役抽選の抽選結果に対応した絵柄となるように、各リール１８，１９，２０の停止を個別に制御する。
【００３６】
ＣＰＵ７１には、第１〜第４角度センサ６０Ａ，６０Ｂ，６０Ｃ，６０Ｄと、上扉用記憶部７７及び下扉用記憶部７８と、有効化条件記憶部７９と、有効化判定部８０とが接続されている。
【００３７】
ＣＰＵ７１は、第１角度センサ６０Ａの出力信号が閉じ信号から中途開き信号に切り替わったとき、第１角度センサ６０Ａの出力信号が中途開き信号から全開信号に切り替わったとき、第２角度センサ６０Ｂの出力信号が閉じ信号から中途開き信号に切り替わったとき、さらに第２角度センサ６０Ｂの出力信号が中途開き信号から全開信号に切り替わったときに、その旨（例えば、第１角度センサ６０Ａの出力信号が閉じ信号から中途開き信号に切り替わったときには、上扉１４が左開きで中途角度になった旨）を上扉用記憶部７７に上書き記憶する。すなわち、上扉用記憶部７７には、上扉１４の開き方向情報（左右のいずれが開いたかの情報）と、このときの開き角度情報（どの角度まで開かれたかの情報）とが、順次更新されながら（すなわち最新が）記憶される。
【００３８】
ＣＰＵ７１は、上扉用記憶部７７のときと同様の手順で下扉用記憶部７８に書き込みを行う。ＣＰＵ７１は、第３角度センサ６０Ｃの出力信号が閉じ信号から中途開き信号に切り替わったとき、第３角度センサ６０Ｃの出力信号が中途開き信号から全開信号に切り替わったとき、第４角度センサ６０Ｄの出力信号が閉じ信号から中途開き信号に切り替わったとき、さらに第４角度センサ６０Ｄの出力信号が中途開き信号から全開信号に切り替わったときに、その旨を下扉記憶部に上書き記憶する。すなわち、下扉記憶部には、下扉１５の開き方向情報と、このときの開き角度情報とが、順次更新されながら記憶される。
【００３９】
上扉用記憶部７７が、上扉開き方向メモリ、上扉左開き角度メモリ、及び上扉右開き角度メモリとして機能する。また、下扉用記憶部７８が、下扉開き方向メモリ、下扉左開き角度メモリ、及び下扉右開き角度メモリとして機能する。
【００４０】
有効化条件記憶部７９には、予め設定した上扉１４の設定開き方向（左または右のいずれかに設定）及び設定開き角度（中途または全開のいずれかに設定）情報と、下扉１５の設定開き方向及び設定開き角度情報とが記憶されている。例えば、上扉１４の設定開き方向：右、設定開き角度：中途、下扉１５の設定開き方向：左、設定開き角度：全開というように記憶されている。有効化条件記憶部７９は書換え可能であり、例えば電波で書き込みを行う書き込み装置によって書き換えることができる。なお、有効化条件記憶部７９をチップ状に形成し、チップを交換して条件を変更する構成であってもよい。
【００４１】
有効化判定部８０は、上扉用記憶部７７に記憶された上扉１４の開き方向及び開き角度情報と、有効化条件記憶部７９に記憶された上扉１４の設定開き方向及び設定開き角度情報とを比較して、これらの２つの条件がいずれも一致し、かつ、下扉用記憶部７８に記憶された下扉１５の開き方向及び開き角度情報と、有効化条件記憶部７９の下扉１５の設定開き方向及び設定開き角度情報とを比較して、これらの２つの条件がいずれも一致した場合に（すなわち、合計４つの条件が一致した場合に）、一致信号をＣＰＵ７１に送信する。４つの条件のうち１つでも不一致だった場合には、不一致信号をＣＰＵ７１に送信する。有効化判定部８０はＣＰＵ７１に制御されており、ＣＰＵ７１ではキーシリンダ３３に設定キーが差し込まれて、この設定キーがＯＦＦ位置からＯＮ位置に回転して設定キースイッチ８１がオンになったときに有効化判定部８０を作動する。
【００４２】
ＣＰＵ７１では、有効化判定部８０から一致信号を受けたときに、設定変更装置３２の変更ボタン３４の操作を有効化し、一方、不一致信号を受けたときに、設定変更装置３２の変更ボタン３４の操作を無効化するとともに、スピーカ２９から警告音を発する。
【００４３】
有効化判定部８０が、上扉開き方向判定手段、下扉開き方向判定手段、上扉左開き角度判定手段、上扉右開き角度判定手段、下扉左開き角度判定手段、及び下扉右開き角度判定手段として機能する。また、ＣＰＵ７１が、制御手段として機能する。
【００４４】
ホッパー装置３１は、ＣＰＵ７１に駆動を制御されており、当選役に応じたメダルを払い出す。メモリ７２のＲＯＭ領域には当選役の種類とメダルの配当枚数とを対応付けた配当テーブルが記憶されており、ＣＰＵ７１ではメモリ７２のＲＯＭ領域の配当テーブルを参照して、ホッパー装置３１の駆動を制御する。
【００４５】
上記構成による作用について図８のフローチャートの流れに沿って説明する。遊技中には、上扉１４及び下扉１５は閉じられており、第１〜第４軸支機構４０Ａ〜４０Ｄはそれぞれ第１〜第４軸３９Ａ〜３９Ｄを保持している。第１〜第４角度センサ６０Ａ〜６０Ｄは全て閉じ信号を出力している。
【００４６】
第３キーシリンダ２１Ｃを開錠した場合には第３軸３９Ｃが保持を解除されて下扉１５が左開き可能になり、一方、第４キーシリンダ２１Ｄを開錠した場合には第４軸３９Ｄが保持を解除されて下扉１５が右開き可能になる。下扉１５を左開きまたは右開きすると、第３角度センサ６０Ｃまたは第４角度センサ６０Ｄの出力信号が変化し、この出力信号に基づいて下扉記憶部７８に下扉１５の開き方向（左右のいずれか）及び開き角度（中途または全開のいずれか）の情報が記憶される。下扉１５を一旦閉じてから再び開いたときには、下扉記憶部７８の情報は更新される。
【００４７】
上扉１４についても下扉１５と同様であり、第１キーシリンダ２１Ａを開錠した場合には第１軸３９Ａが保持を解除されて上扉１４が左開き可能になり、一方、第２キーシリンダ２１Ｂを開錠した場合には第２軸３９Ｂが保持を解除されて上扉１４が右開き可能になる。上扉１４を左開きまたは右開きすると、第１角度センサ６０Ａまたは第２角度センサ６０Ｂの出力信号が変化し、この出力信号に基づいて上扉記憶部７７に上扉１４の開き方向及び開き角度情報とが記憶される。
【００４８】
上扉１４が開かれた状態で、設定変更装置３２のキーシリンダ３３に設定キーを差し込んで設定キーをＯＦＦ位置からＯＮ位置まで回転操作すると設定キースイッチ８１がオンになり、有効化判定部８０が作動する。
【００４９】
有効化判定部８０では、上扉用記憶部７７に記憶された上扉１４の開き方向及び開き角度情報と、有効化条件記憶部７９に予め記憶された上扉１４の設定開き方向及び設定開き角度情報とが比較されるとともに、下扉用記憶部７８に記憶された上扉１５の開き方向及び開き角度情報と、有効化条件記憶部７９に予め記憶された下扉１５の設定開き方向及び設定開き角度情報とが比較される。
【００５０】
有効化判定部８０から一致信号が出力された場合には、スロットマシン１０のモードが遊技モードから設定変更モードに移行し、設定変更装置３２の変更ボタン３４の操作が有効化されて、設定値の変更が可能になる。設定値を変更した後、スタートレバー２３を押下操作すると設定値が確定し、さらに設定キーをＯＮ位置からＯＦＦ位置に回転操作すると設定値が有効になる。
【００５１】
一方、有効化判定部８０から不一致信号が出力された場合には、スロットマシン１０のモードは設定変更モードには移行せずに、設定変更装置３２の変更ボタン３４の操作は無効になる。また、スピーカ２９から警告音が発されて、不正行為が行われていることが周囲に報知される。
【００５２】
設定変更装置３２を操作して設定値を有効にした後、上扉１４を閉じて第１キーシリンダ２１Ａ及び第２キーシリンダ２１Ｂのうち開錠しているほうを施錠し、また、下扉１５を閉じて第３キーシリンダ２１Ｃ及び第４キーシリンダ２１Ｄのうち開錠しているほうを施錠する。
【００５３】
本発明のスロットマシン１０では、設定変更装置３２の操作を有効化するために、上扉１４の開き方向（２通り）及び開き角度（２通り）を予め設定したものと一致させ、かつ、下扉１５の開き方向（２通り）及び開き角度（２通り）を予め設定したものと一致させる必要がある。すなわち、合計１６通りの組み合わせの中から予め設定された１通りを選択する必要があるため、この設定条件を知らない者にとっては設定変更を行うことが難しくなり、設定変更ゴトを防止することができる。
【００５４】
なお、上記実施形態では、上扉１４の開き方向及び開き角度が設定条件と一致し、かつ下扉１５の開き方向及び開き角度が設定条件と一致することを有効化の条件にしたが、上扉１４の開き方向が設定条件と一致し、かつ下扉１５の開き方向が設定条件と一致することを有効化の条件にしてもよい。
【００５５】
上記実施形態では、前面扉１１を上扉１４及び下扉１５の２枚の扉で構成したが、一枚の扉で構成してもよい。この場合には、この一枚の扉の開き方向及び開き角度が設定条件と一致することを有効化の条件にしてもよいし、この一枚の扉の開き方向が設定条件と一致することを有効化の条件にしてもよい。また、前面扉１１を３枚以上の扉で構成してもよく、この場合には、各扉の開き方向及び開き角度がそれぞれ設定条件と一致することを有効化の条件にしてもよいし、開き方向が設定条件と一致することを有効化の条件にしてもよい。
【００５６】
上記実施形態では、上扉１４及び下扉１５において検出可能な開き角度は中途角度と全開角度の２通りであったが、中途角度を細分化して３通り以上にしてもよい。この場合、角度センサには、ロータリエンコーダやポテンショメータなどのセンサを用いることが好ましい。
【００５７】
上記実施形態では、設定変更装置３２の操作を有効化するために上扉１４及び下扉１５を順序関係なく一回ずつ開いたが、上扉用記憶部７７及び下扉用記憶部７８のそれぞれに、開き方向及び開き角度に加えて各扉が開かれた時刻（角度センサの検出時刻）を記憶させ、過去数回分の開き順序、開き方向、及び開き角度が、予め設定したものと全て一致することを有効化の条件にしてもよい。例えば、第１に、上扉１４を左開きで中途角度にし、第２に、上扉１４を右開きで全開角度にし、第３に、下扉１５を右開きで全開角度にし、最後に、上扉１４を左開きで全開角度にするなどに予め設定しておき、判定時において、この設定条件と、過去４回分の履歴とを比較する。
【００５８】
なお、扉の設定開き方向を忘れたときの対策として、前面扉に左右のスピーカを設け、所定の操作を行った場合に、設定開き方向に対して予め設定した側のスピーカ（例えば設定開き方向とは逆側のスピーカ）が報知音を発するように構成してもよい。
【００５９】
上記実施形態では、スロットマシン１０を用いて説明したが、パチンコ機など、設定変更装置を有する他の遊技機にも本発明を適用することができる。
【図面の簡単な説明】
【００６０】
【図１】スロットマシンの外観斜視図である。
【図２】収納箱及び第１〜第４軸支機構を示す外観斜視図である。
【図３】図１のIII‐III線に沿って切断したときのスロットマシンの要部断面図である。
【図４】図１のIV‐IV線に沿って切断したときのスロットマシンの要部断面図である。
【図５】上扉が右開き方向で中途開きしたことを検出する第１角度センサを示す説明図である。
【図６】上扉が右開き方向で全開したことを検出する第１角度センサを示す説明図である。
【図７】スロットマシンの電気的構成を示すブロック図である。
【図８】設定変更動作の流れを示すフローチャートである。
【符号の説明】
【００６１】
１０  スロットマシン（遊技機）
１３  筐体
１４  上扉
１５  下扉
３２  設定変更装置
４０Ａ  第１軸支機構
４０Ｂ  第２軸支機構
４０Ｃ  第３軸支機構
４０Ｄ  第４軸支機構
６０Ａ  第１角度センサ（上扉左角度検出センサ）
６０Ｂ  第２角度センサ（上扉右角度検出センサ）
６０Ｃ  第３角度センサ（下扉左角度検出センサ）
６０Ｄ  第４角度センサ（下扉右角度検出センサ）
７１  ＣＰＵ（制御手段）
７７  上扉用記憶部
７８  下扉用記憶部
７９  有効化条件記憶部
８０  有効化判定部
【図１】
2008237828.tif 000003
【図２】
2008237828.tif 000004
【図３】
2008237828.tif 000005
【図４】
2008237828.tif 000006
【図５】
2008237828.tif 000007
【図６】
2008237828.tif 000008
【図７】
2008237828.tif 000009
【図８】
2008237828.tif 000010